(57)【特許請求の範囲】
【請求項１】
上下方向に沿った貫通部を有し、この貫通部に植栽用の土が充填される前方枠部と、前記前方枠部の後端から後方に向けて延設した控部と、を具備し、互いに段積みすることにより擁壁を構築する擁壁用コンクリートブロックであって、
前記前方枠部の後方側面に、左右方向に並設されたものの相互間において閉塞部材を係止するための係止部を設けるとともに、前記前方枠部の端面に、前記貫通部の下端開口を閉塞する土受け止め部材を配置するための収容部を設けたことを特徴とする擁壁用コンクリートブロック。
【請求項２】
前記前方枠部の前端において前記閉塞部材を一体に成形した後、当該閉塞部材を分離するようにした請求項１記載の擁壁用コンクリートブロック。
【請求項３】
上下方向に沿った貫通部を有し、この貫通部に植栽用の土が充填される前方枠部と、前記前方枠部の後端から後方に向けて延設した控部と、前記前方枠部の後方側面に設けた係止部と、前記前方枠部の端面に形成した収容部と、を具備した擁壁用コンクリートブロックを互いに左右方向に間隔をもって千鳥状に段積みし、左右方向に並設されたものの相互間において前記係止部に閉塞部材を係止させるとともに、前記収容部に土受け止め部材を配置することにより該土受け止め部材によって前記貫通部の下端開口を閉塞したことを特徴とする擁壁。
【請求項４】
前記閉塞部材は、前記前方枠部の前端においてこれと一体に成形した後、該前方枠部から分離することによって構成されたものである請求項３記載の擁壁。
【請求項５】
前記土受け止め部材は、通水性を有したネット、もしくは格子である請求項３記載の擁壁。
【発明の詳細な説明】
【０００１】
【発明の属する技術分野】
本発明は、法面等に積み上げられて構築される擁壁および擁壁用コンクリートブロックに関するもので、特に施工面に樹木などを植生することのできる擁壁および擁壁用コンクリートブロックの改良に関するものである。
【０００２】
【従来の技術】
この種の擁壁および擁壁用コンクリートブロックとして、本件特許出願人は先に特許第２７３２２０１号公報に示されたもの（以下、先行特許という）を提案している。すなわち、この先行特許の擁壁用コンクリートブロックは、前方枠部と控部とを備えて構成し、前方枠部に設けた貫通部に植栽用の土を充填するようにしたものである。前方枠部には、その前端両側部の外面に切欠部を形成してあるとともに、その内部の前端中央下部に土受け止め部を突設してある。
【０００３】
この擁壁用コンクリートブロックは、相互に布積みして擁壁を構築した場合、前方枠部に設けた貫通部の下端開口が、下方において隣接するものの前方枠部、並びに当該貫通部の内部に設けた土受け止め部によって塞がれることになるため、当該貫通部の内部に植栽用の土を充填することができる。
一方、上記貫通部の上端開口は、上方において隣接するものの切欠部相互間に確保される開放部によってその一部が開放されるようになる。
【０００４】
従って、上記貫通部に充填した土に樹木や草花を植生し、さらにこれらを外部に向かって成長させることができるようになり、無機質な擁壁用コンクリートブロックの外面を緑化させ、優れた景観を呈することが可能になる。
【０００５】
【発明が解決しようとする課題】
ところで、上記先行特許のものにあっては、植生部分を大きくとることができず、そこに植えられる樹木や草花にも制限がある。すなわち、植物を植えることのできる貫通部の上端開口が、僅か切欠部相互間に確保される開放部によってのみ開放されるだけであるから、この開放部よりも大きくなる樹木や草花を植生することは困難であり、緑化できる範囲も限られたものになる。
【０００６】
上記先行特許のものにおいても、左右方向に隣接した擁壁用コンクリートブロックの相互間に間隔を確保して擁壁を構築すれば、貫通部の上端開口が大きく開放されるようにはなる。
【０００７】
しかしながら、擁壁用コンクリートの相互間に間隔を確保した場合には、貫通部の下端開口が開放されることになるため、当該貫通部に植生用の土を充填することが困難になる。しかも、法面の全面を完全に覆うことができないため、擁壁としての機能が低下するばかりか、隣接した控部の間に打設した胴込めコンクリートが表面側に流出して貫通部の上端開口を塞いでしまう等の事態を招来する虞れもある。
【０００８】
本発明は、上記実情に鑑みて、擁壁としての機能を十分に確保しつつ、広範囲に亘って緑化を図ることのできる擁壁用コンクリートブロックおよび擁壁を提供することを解決課題とする。
【０００９】
【課題を解決するための手段】
本発明では、上下方向に沿った貫通部を有し、この貫通部に植栽用の土が充填される前方枠部と、前記前方枠部の後端から後方に向けて延設した控部と、を具備し、互いに段積みすることにより擁壁を構築する擁壁用コンクリートブロックであって、前記前方枠部の後方側面に、左右方向に並設されたものの相互間において閉塞部材を係止するための係止部を設けるとともに、前記前方枠部の端面に、前記貫通部の下端開口を閉塞する土受け止め部材を配置するための収容部を設けるようにしている。
前記前方枠部の前端において前記閉塞部材を一体に成形した後、当該閉塞部材を分離するようにしてもよい。
【００１０】
また本発明では、上下方向に沿った貫通部を有し、この貫通部に植栽用の土が充填される前方枠部と、前記前方枠部の後端から後方に向けて延設した控部と、前記前方枠部の後方側面に設けた係止部と、前記前方枠部の端面に形成した収容部と、を具備した擁壁用コンクリートブロックを互いに左右方向に間隔をもって千鳥状に段積みし、左右方向に並設されたものの相互間において前記係止部に閉塞部材を係止させるとともに、前記収容部に土受け止め部材を配置することにより該土受け止め部材によって前記貫通部の下端開口を閉塞するようにしている。前記閉塞部材は、前記前方枠部の前端においてこれと一体に成形した後、該前方枠部から分離することによって構成されたものであることが好ましい。また、前記土受け止め部材は、通水性を有したネット、もしくは格子であることが好ましい。
【００１１】
【発明の実施の形態】
以下、実施の形態を示す図面に基づいて本発明を詳細に説明する。
図１および図２は本発明に係る擁壁用コンクリートブロックおよびこのコンクリートブロックとともに擁壁を構築するために必要となる閉塞部材および土受け止め部材の一実施形態を示した図、図３乃至図６は擁壁用コンクリートブロックの単体を示す図である。
【００１２】
ここで例示する擁壁用コンクリートブロック１は、前方枠部２と控部３とを有するもので、これら前方枠部２および控部３をコンクリートにより一体に成形してある。
【００１３】
前方枠部２は、その中心部に上下方向に沿った貫通部４を形成することにより枠状に構成したものである。図３からも明らかなように、この前方枠部２は、後壁２ａが前壁２ｂよりも大きな幅を有し、かつこれら後壁２ａおよび前壁２ｂを接続する一対の側壁２ｃが前方に向かうに従って漸次内方に湾曲している。また前壁２ｂの外面、つまり擁壁用コンクリートブロック１の表面となる部分には、凹凸等の化粧模様が設けてある。
【００１４】
控部３は、前方枠部２において後壁２ａの中央部となる部位から後方に向けて突設したもので、その突出端部がさらに左右方向に向けて突出した平面視略Ｔ字状を成している。この控部３は、狭幅厚板状を成しており、上述した前方枠部２と同一の高さに構成してある。
【００１５】
閉塞部材１０は、上述した貫通部４の後端部よりも大きな長さを有し、かつ前方枠部２と同一の高さを有したほぼ矩形のコンクリート製プレート状部材である。この閉塞部材１０の両側部には、貫通部４の後端部とほぼ同一の長さとなる部分を除いた部位に、それぞれ板厚の薄い薄肉部１１を形成してある。また閉塞部材１０の前面１２には、上述した前方枠部２の前壁２ｂと同様に、凹凸等の化粧模様が設けてある。
【００１６】
ここで、本実施形態で適用する閉塞部材１０は、図７に示すように、その前面１２と前方枠部２の前壁２ｂとが互いに接するように擁壁用コンクリートブロック１と一体に成形した後、適宜な切削工具を適用し、図中の二点鎖線で示す部位を境に分離することにより、当該擁壁用コンクリートブロック１と同時に構成するようにしたものである。このように閉塞部材１０を擁壁用コンクリートブロック１と一体成形するようにした場合には、これらを個別に成形する場合に比べて、成形型枠の数が減るため、成形型枠の製造コストが低減する、成型型枠の取扱作業が容易となる、成形型枠に対するコンクリート材の充填作業が減る、等々の作用効果を奏するばかりではなく、両者の分割面、つまり閉塞部材１０の前面１２および前方枠部２の前壁２ｂ外面がそれぞれ凹凸状となり、自然と化粧模様を呈するようになるため、個別に化粧模様を施す作業も不要となる。
【００１７】
土受け止め部材２０は、金属製のネットにより矩形の薄板状に構成したものである。この土受け止め部材２０を構成するネットの編み目は、十分な通水性を有する一方、植生用の土に対してはその通過を阻む大きさに形成してある。また、図１からも明らかなように、土受け止め部材２０の長さは、上述した貫通部４の左右方向幅よりも十分に大きく、かつ前方枠部２の左右方向幅よりも僅かに小さくなるように構成してある。またその幅は、上述した閉塞部材１０の板厚と合計した場合に貫通部４の前後方向長さよりも大となるように構成してある。
【００１８】
一方、上記擁壁用コンクリートブロック１には、前方枠部２の両側壁２ｃにそれぞれ係止部５を一体成形してあるとともに、その上面に一対の収容部６を一体成形してある。
【００１９】
係止部５は、それぞれ側壁２ｃの後方外面、具体的には貫通部４の後端部に対応する部位に上下方向に沿って形成した一条の凹溝である。それぞれの係止部５は、閉塞部材１０の薄肉部１１をほぼ嵌合収容することのできる大きさを有したもので、前方枠部２の上下両端面に開放している。
【００２０】
収容部６は、それぞれ側壁２ｃの上面、具体的には貫通部４の前端部に対応する部に形成した凹部である。それぞれの収容部６は、土受け止め部材２０の端部を収容載置させることのできる大きさを有したもので、前方枠部２の側面に開放している。
【００２１】
上述した擁壁用コンクリートブロック１の一例として、代表的な製品の寸法を示せば以下のとおりである。すなわち、前後方向の全長Ａが６００ｍｍである場合に前方枠部２の前後方向長さＢが３１０ｍｍ、前方枠部２の最大左右方向幅Ｃが５００ｍｍ、貫通部４の左右方向幅Ｄが２７０ｍｍ、貫通部４の前後方向長さＥが１８０ｍｍ、控部３の後端幅Ｆが４００ｍｍ、前方枠部２の高さＧが２５０ｍｍである。これに適用する閉塞部材１０は、その長さＨが３０５ｍｍ、板厚Ｊが５０ｍｍであり、また土受け止め部材２０は、その長さＫが４００ｍｍ、幅Ｌが１３５ｍｍである。但し、これらの寸法は、あくまでも一例であり、その他の寸法となるように構成してももちろん構わない。
【００２２】
上記のように構成した擁壁用コンクリートブロック１は、上述した閉塞部材１０および土受け止め部材２０を適用しながら法面３０に相互に段積みすることにより、図８乃至図１０に示すように、擁壁４０を構築することができる。すなわち、上記擁壁用コンクリートブロック１によって擁壁４０を構築する場合には、該擁壁用コンクリートブロック１を互いに左右方向に間隔をもって千鳥状に段積みし、左右方向に並設された擁壁用コンクリートブロック１の各相互間において、係止部５の間に閉塞部材１０を係止させるとともに、収容部６の間に土受け止め部材２０を配置すればよい。擁壁用コンクリートブロック１と法面３０との間には、擁壁用コンクリートブロック１を強固に連結するため、並設した控部３の間に形成される空間内に胴込めコンクリート５０を打設する。
【００２３】
こうして構築された擁壁４０にあっては、各貫通部４の上端開口が、それぞれ上方に積み上げられた擁壁用コンクリートブロック１の左右相互間隔においてほぼ全面が開放されるようになる。
一方、各貫通部４の下端開口は、上述した閉塞部材１０の上端面および土受け止め部材２０によって閉塞されるようになる。
【００２４】
従って、各貫通部４の内部に植栽用の土６０を充填することができ、さらにこの土６０に樹木や草花を植生すれば、これら樹木や草花を外部に向かって成長させることができるようになる。
【００２５】
この場合、上記擁壁４０によれば、上述したように各貫通部４において上端開口のほぼ全面が開放されているため、当該上端開口の全てを大きな植生部分として用いることが可能であり、比較的大型の樹木や草花を植生することができる。この結果、無機質な擁壁４０の表面を広範囲に亘って緑化させ、優れた景観を呈することが可能になる。
【００２６】
しかも、擁壁用コンクリートブロック１の左右相互間に係止された閉塞部材１０が、これらの間に確保された間隔を閉塞するようになる。従って、擁壁４０を構築した法面３０の全面を完全に覆うことができ、擁壁４０としての機能を十分に確保することができるとともに、控部３の間に打設した胴込めコンクリート５０が表面側に流出して貫通部４の上端開口を塞いでしまう等の事態を招来する虞れもない。
【００２７】
また、貫通部４の下端開口を閉塞部材１０の上端面および土受け止め部材２０によって閉塞するようにしたものであるため、従前の如く、貫通部４に土受け止め部のような突出部を設ける必要がない。つまり、貫通部４としては、一様な横断面積の孔を単に設ければよく、擁壁用コンクリートブロック１の製造作業を容易に行うことができるようになる。
【００２８】
なお、上述した実施の形態では、前方枠部２として、後壁２ａが前壁２ｂよりも大きな幅を有し、かつこれら後壁２ａおよび前壁２ｂを接続する一対の側壁２ｃが前方に向かうに従って漸次内方に湾曲したものを例示しているため、植生部分となる部位の前端をより大きく開放させることが可能であるが、本発明はこれに限定されない。つまり、前方枠部２としては、貫通部４を有するものであれば如何なる形態のものであっても構わない。
【００２９】
また、上述した実施の形態では、係止部５として凹溝状のものを例示し、閉塞部材１０の端部をこれに嵌合収容させるようにしているが、閉塞部材１０を係止することができれば、その他のものであってもよい。例えば、係止部５として突起状のものを適用し、閉塞部材１０に設けた溝部分にこれを嵌合させるようにすることも可能である。なお、閉塞部材１０としては、必ずしも擁壁用コンクリートブロック１と一体に成形したものに限らず、別途成形したものを適用してももちろんよい。この場合、必ずしもコンクリート製である必要もなく、任意の材質によって成形すればよい。但し、少なくとも胴込めコンクリート５０を打設する際の圧力に耐えられるだけの強度を有していることが好ましい。また、閉塞部材１０は、必ずしもプレート状を成している必要はなく、ブロック状のもの等々、その他の形状のものであってもよい。
【００３０】
さらに、上述した実施の形態では、前方枠部２の上面にのみ収容部６を形成しているが、前方枠部２の下面にのみ収容部６を形成したり、上下両面に形成するようにしても構わない。なお、土受け止め部材２０としては、必ずしもネットである必要はなく、格子や通水孔を設けたプレート等、その他のものであっても構わない。この場合、必ずしも金属製である必要もなく、コンクリート製のもの、あるいは樹脂製のもの等々、その他の材質からなるものを適用してもよい。
【００３１】
またさらに、上述した実施の形態では、貫通部４の下端開口を閉塞部材１０の上端面および土受け止め部材２０によって閉塞するようにしているが、閉塞部材をさらに後方側で係止し、土受け止め部材のみによって貫通部の下端開口を閉塞するようにしても構わない。
【００３２】
【発明の効果】
以上説明したように、本発明によれば、係止部に閉塞部材を係止させることにより法面の全面を覆った状態で擁壁用コンクリートブロックの左右相互間に間隔を確保した擁壁を構築することができ、かつ土受け止め部材によって貫通部の下端開口を閉塞することにより当該貫通部への植生用の土の充填が可能となる。従って、擁壁としての機能を十分に確保しつつ、貫通部の上端開口を大きく開放させ、広範囲に亘る部位を緑化することができるようになる。
【００３３】
また、前方枠部と閉塞部材とを一体に成形した後にこれらを分離させるようにした場合には、これらを個別に成形する場合に比べて、成形型枠の数が減るため、成形型枠の製造コストが低減する、成型型枠の取扱作業が容易となる、コンクリート材の充填作業が減る、等々の作用効果を奏するばかりではなく、両者の分割面がそれぞれ凹凸状となり、自然と化粧模様を呈するようになるため、個別に化粧模様を施す作業も不要となる。
【図面の簡単な説明】
【図１】本発明に係る擁壁用コンクリートブロックの一実施形態を概念的に示すもので、閉塞部材および土受け止め部材を配置した状態の平面図である。
【図２】図１に示した擁壁用コンクリートブロック、閉塞部材および土受け止め部材の分解斜視図である。
【図３】図１に示した擁壁用コンクリートブロック単体の平面図である。
【図４】図１に示した擁壁用コンクリートブロック単体の側面図である。
【図５】図１に示した擁壁用コンクリートブロック単体の正面図である。
【図６】図３におけるＡ−Ａ線断面図である。
【図７】図１に示した擁壁用コンクリートブロックおよび閉塞部材を一体成形した状態を示す断面平面図である。
【図８】図１に示した擁壁用コンクリートブロック、閉塞部材および土受け止め部材によって構築した擁壁の平面図である。
【図９】図８に示した擁壁の正面図である。
【図１０】図８に示した擁壁の断面側面図である。
【符号の説明】
１      擁壁用コンクリートブロック
２      前方枠部
２ａ    後壁
２ｂ    前壁
２ｃ    側壁
３      控部
４      貫通部
５      係止部
６      収容部
１０      閉塞部材
１１      薄肉部
１２      前面
２０      土受け止め部材
３０      法面
４０      擁壁
５０      胴込めコンクリート
６０      植栽用の土
【図１】
0003556541.tif 000002
【図２】
0003556541.tif 000003
【図３】
0003556541.tif 000004
【図４】
0003556541.tif 000005
【図５】
0003556541.tif 000006
【図６】
0003556541.tif 000007
【図７】
0003556541.tif 000008
【図８】
0003556541.tif 000009
【図９】
0003556541.tif 000010
【図１０】
0003556541.tif 000011